(57)【要約】【課題】放送形式が異なって選局を行う場合であっても、容易に選局を行うことが出来るテレビ受像機を提供すること。【解決手段】リモコン信号受信部７０により受信された選局操作において、選局されたチャンネルが、現在受信中のチャンネルと同一である場合には、チャンネルテーブル６２に基づいて選局表を生成し、映像合成部３５において合成し、表示装置９０に表示する。また、現在受信中の放送形式のチャンネルと同一のボタンが押下されることにより、チャンネルテーブル６２に基づいて、現在受信しているチャンネルと異なる放送形式のチャンネルを選局し、受信する。【選択図】図３
2008098725.tif 000002
【特許請求の範囲】
【請求項１】
放送形式の異なる放送波を受信するために複数のチューナーを備えたテレビ受像機において、
複数の放送形式の中から、所定のチャンネルを選局する選局手段と、
前記選局手段により選局されたチャンネルの放送波を受信する受信手段と、
異なる放送形式のチャンネルをグループ化して記憶するチャンネルテーブルと、
を備え、
前記選局手段は、現在受信手段により受信されているチャンネルと同一のチャンネルが選局された場合には、前記チャンネルテーブルに記憶された同じグループの異なる放送形式のチャンネルを選局する異放送形式選局手段を有することを特徴とするテレビ受像機。
【請求項２】
チャンネルテーブルに記憶されている同一グループのチャンネルをチャンネルリストとして一覧表示するチャンネルリスト表示手段を備え、
前記異放送形式選局手段は、前記チャンネルリスト表示手段により表示されたチャンネルリストの中から、次に受信するためのチャンネルを選局させることを特徴とする請求項１に記載のテレビ受像機。
【請求項３】
チャンネルテーブルに記憶されている同一グループのチャンネルの放送波を受信し、受信された放送波に基づいて番組を表示するグループ番組表示手段を備え、
前記異放送形式選局手段は、前記グループ番組表示手段により表示された番組の中から、次に受信するためのチャンネルを選局させることを特徴とする請求項１に記載のテレビ受像機。
【請求項４】
前記テレビ受像機は、チャンネルを選局するための選局ボタンを備え、
前記選局手段は、前記選局ボタンが押下されたことを検知すると、当該選局ボタンに対応したチャンネルを選局する手段であることを特徴とする請求項１から３のいずれか一項に記載のテレビ受像機。
【請求項５】
前記チャンネルテーブルは、各放送形式に対応する系列局がグループ化されて記憶されていることを特徴とする請求項１から４のいずれか一項に記載のテレビ受像機。
【発明の詳細な説明】
【技術分野】
【０００１】
本発明は、放送形式の異なる放送波を受信するために複数のチューナーを備えたテレビ受像機に関する。
【背景技術】
【０００２】
近年、放送波に種々の形式が登場し、放送形式が異なる番組を視聴する場合が多くなってきている。例えば、地上波アナログ放送や、地上波デジタル放送、ＢＳデジタル放送等の複数の放送形式が受信可能な複数のチューナーを内蔵したテレビ受像機が知られている。
【０００３】
このようなテレビ受像機において、各放送形式における番組を視聴する際には、ユーザの操作により、所望する番組が放送されている放送形式を選択し、その後、チャンネルボタンを押下したり、その放送形式に基づいて作成された番組表を取得し、この番組表から番組を選択したりする方法が一般的である。
【０００４】
このように、従来の方法によれば、所望の番組（チャンネル）を視聴する際に、一度放送形式を切り替え、その後に番組を選択する方法が一般的である。この場合、放送形式を切り替えたときには、その放送形式を最後に観たときの放送局のチャンネルが受信されることが多い。具体的には、例えば地上波アナログ放送で、Ａ系列のチャンネルを視聴していた際に、ユーザが地上波デジタル放送の番組に切り替えるとする。この場合、地上波デジタル放送において、従前にＢ系列のチャンネルを見ていた場合には、地上波デジタル放送に切り替えた場合、一度Ｂ系列のチャンネルが受信される。
【０００５】
したがって、ユーザは地上波デジタル放送に切り替えた後、再度Ａ系列のチャンネルが受信できるように選局する方法や、今まで選局された履歴に基づいてよく観ていたチャンネル順に切替える方法（例えば、特許文献１参照）等が知られている。
【特許文献１】特開２０００−３１６１０２号公報
【発明の開示】
【発明が解決しようとする課題】
【０００６】
しかしながら、上記の従来の方法では、放送形式が異なる番組を受信する場合には、一度ユーザが当該放送形式に切り替える為に、リモコン等の専用のボタンを押下する必要があり、通常の選局操作と比較して操作が煩わしいといった問題点があった。
【０００７】
また、放送形式が異なるチャンネル切り替え操作を行う場合、一度放送形式を切り替えた際に、従前のチャンネルが表示されてしまい、その後、所望するチャンネルに切り替える必要があった。この場合、現在視聴している放送形式と、切り替え後の放送形式とでは、系列局に単純に対応していないため、どのチャンネルを受信すれば良いかがわかりにくく、選局する操作が煩雑になってしまうといった問題があった。
【０００８】
上述した課題に鑑み、本発明が目的とするところは、放送形式が異なって選局を行う場合であっても、容易に選局を行うことが出来るテレビ受像機を提供することを目的とする。
【課題を解決するための手段】
【０００９】
上記課題を解決するために、本発明におけるテレビ受像機は、放送形式の異なる放送波を受信するために複数のチューナーを備えたテレビ受像機において、複数の放送形式の中から、所定のチャンネルを選局する選局手段と、前記選局手段により選局されたチャンネルの放送波を受信する受信手段と、異なる放送形式のチャンネルをグループ化して記憶するチャンネルテーブルと、を備え、前記選局手段は、現在受信手段により受信されているチャンネルと同一のチャンネルが選局された場合には、前記チャンネルテーブルに記憶された同じグループの異なる放送形式のチャンネルを選局する異放送形式選局手段を有することを特徴とする。
【００１０】
また、本発明におけるテレビ受像機は、チャンネルテーブルに記憶されている同一グループのチャンネルをチャンネルリストとして一覧表示するチャンネルリスト表示手段を備え、前記異放送形式選局手段は、前記チャンネルリスト表示手段により表示されたチャンネルリストの中から、次に受信するためのチャンネルを選局させることを特徴とする。
【００１１】
また、本発明におけるテレビ受像機は、チャンネルテーブルに記憶されている同一グループのチャンネルの放送波を受信し、受信された放送波に基づいて番組を表示するグループ番組表示手段を備え、前記異放送形式選局手段は、前記グループ番組表示手段により表示された番組の中から、次に受信するためのチャンネルを選局させることを特徴とする。
【００１２】
また、本発明におけるテレビ受像機は、チャンネルを選局するための選局ボタンを備え、前記選局手段は、前記選局ボタンが押下されたことを検知すると、当該選局ボタンに対応したチャンネルを選局する手段であることを特徴とする。
【００１３】
また、本発明におけるテレビ受像機において、前記チャンネルテーブルは、各放送形式に対応する系列局がグループ化されて記憶されていることを特徴とする
【発明の効果】
【００１４】
本発明によれば、現在受信されているチャンネルと同一のチャンネルが選局された場合には、チャンネルテーブルに記憶されている同じグループの中から、異なる放送形式のチャンネルが選局されることとなる。例えば、チャンネルテーブルに同じ系列のチャンネルを記憶しておくことにより、ユーザが同一のチャンネルを選局することにより、放送形式の異なる同じ系列のチャンネルを切り替えて受信することができるようになる。
【００１５】
また、本発明によれば、チャンネルテーブルに記憶されている同一グループのチャンネルをチャンネルリストとして一覧表示し、当該チャンネルリストの中から次に受信するためのチャンネルを選局させることができる。したがって、ユーザは、選局する際に具体的に一覧表示されたチャンネルリストを参照して、選局を行うことができる。
【００１６】
また、本発明によれば、チャンネルテーブルに記憶されている同一グループのチャンネルの放送波を受信し、受信された番組を表示する。そして、表示された番組の中から次に受信するためチャンネルを選局させることができる。したがって、ユーザは選局する際に実際に放送されている番組を視認し、その中から選局を行うことができる。
【００１７】
また、本発明によれば、選局ボタンが押下されると、選局ボタンに対応してチャンネルが選局されることとなる。例えば、現在受信中のチャンネルと同一の選局ボタンを押下することにより、チャンネルテーブルに記憶されている同じグループの中から、異なる放送形式のチャンネルが選局されることとなる。したがって、より簡易に放送形式の異なるチャンネルを選局することができる。
【発明を実施するための最良の形態】
【００１８】
以下、本発明に係るテレビ受像機の実施形態について、最良の形態の一例を、図面を用いて詳細に説明する。
【００１９】
図１は、本実施形態におけるテレビ受像機１及びリモコン装置９の外観を説明するための図である。図１に示すように、テレビ受像機１は、液晶ディスプレイ３と、スピーカ５と、赤外線受光部７とを備えて構成されている。また、テレビ受像機１とリモコン装置９は赤外線通信を介して接続されている。
【００２０】
ここで、テレビ受像機１及びリモコン装置９の動作について簡単に説明する。まず、リモコン装置９は、利用者から操作がなされると、操作に対応した制御信号を赤外線を用いて変換し、テレビ受像機１に向けて送信する。テレビ受像機１は、赤外線受光部７により受光された制御信号を解読し、当該制御信号に対応する制御を行うこととなる。
【００２１】
ここで、リモコン装置９の概略を図２にしめす。リモコン装置９には、テレビ受像機１を操作（制御）するための各種操作ボタンを備えている。一般的なリモコン装置に備えられている電源ボタン、音量ボタンに加えて、選局ボタン９００や、放送形式選択ボタン９１０を備えている。
【００２２】
選局ボタン９００としては、「１」から「１２」までのボタンが備えられている。各ボタンが押下されると、テレビ受像機１は押下されたボタンに対応づけられたチャンネル（放送局）を選局し、受信する。例えば、１チャンネルボタン９０２が押下されると、当該ボタンに対応づけられたチャンネルが、現在受信中の放送形式に応じて選局される。
【００２３】
また、放送形式選択ボタン９１０は、テレビ受像機１が受信する放送形式を選択するためのボタンである。本実施形態においては、テレビ受像機１は、地上波アナログ放送と、地上波デジタル放送と、ＢＳデジタル放送と、ＣＳ１と、ＣＳ２とを受信することができる。例えば、地上波アナログボタン９１２が押下された後に１チャンネルボタン９０２が押下されると、テレビ受像機１は、地上波アナログ放送における１チャンネルを受信する。
【００２４】
図３は、テレビ受像機１の機能構成を示した図である。図に示すように、テレビ受像機１は、受信部１０と、音声信号処理部２０と、映像信号処理部３０と、映像合成部３５と、制御部４０と、ＯＳＤ生成部５０と、記憶部６０と、リモコン信号受信部７０と、音声出力装置８０と、表示装置９０とを備えて構成されている。
【００２５】
受信部１０は、外部アンテナから入力された放送波から、選局されているチャンネルの放送波を受信し、当該チャンネルの放送波を番組信号として出力するチューナー部１２と、当該チューナー部１２により抽出された番組信号から、番組データをデコードし、出力するデコーダ部１４とが、放送形式毎に備えられている。
【００２６】
ここで、本実施形態におけるテレビ受像機１は、地上波アナログ放送の放送形式の番組を受信するための第１チューナー部１２ａ及び第１デコーダ部１４ａと、地上波デジタル放送の放送形式の番組を受信するための第２チューナー部１２ｂ及び第２デコーダ部１４ｂと、ＢＳデジタル放送の放送形式の番組を受信するための第３チューナー部１２ｃ及び第３デコーダ部１４ｃと、ＣＳ１の放送形式の番組を受信するための第４チューナー部１２ｄ及び第４デコーダ部１４ｄと、ＣＳ２の放送形式の番組を受信するための第５チューナー部１２ｅ及び第５デコーダ部１４ｅとを備えて構成されている。
【００２７】
ここで、各チューナー部及びデコーダ部は、それぞれの放送形式に対応する処理を実行し、映像信号及び音声信号を抽出する。一例として、地上波デジタル放送の放送形式に対応する第２チューナー部１２ｂ及び第２デコーダ部１４ｂを一例にして説明する。まず、第２チューナー部１２ｂは、アンテナから受信された受信信号から、各チューナーに設定されているチャンネルに対応する周波数の受信信号を選局（抽出）し、各信号が多重化されたトランスポートストリーム（ＴＳ：Ｔｒａｎｓｐｏｒｔ  Ｓｔｒｅａｍ）信号を抽出する。具体的には、受信信号をＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式で復調し、ビダビ復号等を用いて誤り訂正を行いＴＳ信号を抽出する。そして、抽出されたＴＳ信号を第２デコーダ部１４ｂに出力する。
【００２８】
第２デコーダ部１４ｂは、第２チューナー部１２ｂから入力されたＴＳ信号から、映像や音声等のＥＳ（Ｅｌｅｍｅｎｔａｒｙ  Ｓｔｒｅａｍ）に分離し、出力する。ここで、分離された音声のＥＳは音声信号処理部２０へ、映像のＥＳは映像信号処理部３０へ出力される。
【００２９】
音声信号処理部２０は、受信部１０から入力された音声のＥＳから音声信号を復号し、出力する処理部である。出力された音声信号は、音声出力装置８０に出力される。また、映像信号処理部３０は、受信部１０から入力された映像のＥＳから映像信号を復号し、出力する処理部である。出力された映像信号は、映像合成部３５に出力される。
【００３０】
映像合成部３５は、映像信号処理部３０から出力される映像に、ＯＳＤ生成部５０において生成されるＯＳＤ（オンスクリーンディスプレイ）の表示を合成し、表示装置９０に出力する機能部である。
【００３１】
制御部４０は、テレビ受像機１の各動作及び制御を行う処理装置である。テレビ受像機１に記憶されている各種プログラムを読み出し、実行することにより各処理を実行する。
【００３２】
ＯＳＤ生成部５０は、記憶部６０に記憶されている番組情報から電子番組表等を生成し、表示させるための画像を生成する機能部である。ＯＳＤ生成部５０において生成された画像は、映像合成部３５において合成され、表示装置９０において出力される。
【００３３】
記憶部６０は、テレビ受像機１におけるプログラムや、各種設定データ等を記憶する機能部であり、例えば、ＤＲＡＭやフラッシュメモリ、ハードディスクドライブ等の記憶装置により構成されている。ここで、記憶部６０には、チャンネルテーブル６２と、番組情報６４とが記憶されている。
【００３４】
チャンネルテーブル６２は、各選局ボタンに対応づけて、放送形式毎にどの放送局（チャンネル）を受信するかを記憶するためのテーブルである。チャンネルテーブル６２のデータ構成の一例を図４に示す。図に示すように、各選局ボタンに対応して、各放送形式の受信すべきチャンネル（放送局）がグループ化して記憶されている。チャンネルをグループ化する方法としては、種々の方法が考えられるが、例えば、系列局のチャンネルをグループ化したり、同じジャンルの番組をグループ化するなどが考えられる。
【００３５】
図４を参照すると、選局ボタン「１」に対応するグループには、地上波アナログの放送を受信する場合には「１」チャンネルを受信することが記憶されており、また当該チャンネルの放送局名は「ＮＮＫ総合」であることが記憶されている。同様に、選局ボタン「１」における地上波デジタルの放送を受信する際には「２７ｃｈ」の「ＮＮＫ総合」を受信し、ＢＳデジタルの放送を受信する際には「１０３ｃｈ」の「ＮＮＫ  ＢＳ−Ｈｉ」を受信する。また、ＣＳ１については対応する放送局が無く、ＣＳ２については「３５４ｃｈ」の「ＤＮＮｊ」を受信する。
【００３６】
このように、図２で示した選局ボタン９００は、チャンネルテーブル６２に基づいてそれぞれ受信するチャンネルが対応づけられている。換言すれば、同じ選局ボタンが押下された場合であっても、現在受信中の放送形式により実際に選局されるチャンネルが決定されることとなる。
【００３７】
なお、本発明における系列局とは、在京放送局と、地方局との関係を示す系列局という他に、同一の放送局において、放送形式の異なるチャンネルを放送する場合を含むものとする。例えば、ＮＨＫ（日本放送協会）の場合、アナログ放送の「ＮＨＫ総合」の他に、「ＮＨＫ総合デジタル」、「ＮＨＫ衛星第一」、「ＮＨＫハイビジョン」等の放送形式が異なる放送局（チャンネル）も系列局と表すこととする。
【００３８】
番組情報６４は、各番組のタイトル、開始時刻、終了時刻、分野、内容等の情報が番組毎に記憶されている。これらの番組毎の情報に基づいて、電子番組表が生成されたり、各番組に関する情報を表示させたりすることとなる。
【００３９】
リモコン信号受信部７０は、リモコン装置９から出力された制御信号を受信する機能部である。リモコン信号受信部７０により受信された制御信号に基づいて、制御部４０は、どのボタンが押下されたかを検知することができる。なお、図１における赤外線受光部７に相当する。
【００４０】
音声出力装置８０は、音声信号処理部から入力される音声信号に基づいて音声を出力するための装置である。音声出力装置８０の一例としては、スピーカや、ヘッドフォン等により構成されている。なお、図１におけるスピーカ５に相当する。
【００４１】
表示装置９０は、映像合成部３５から入力される映像信号に基づいて映像を表示するための装置である。表示装置９０の一例としては、液晶ディスプレイや、プラズマディスプレイ等により構成されている。なお、図１における液晶ディスプレイ３に相当する。
【００４２】
〔処理の流れ〕
続いて、本実施形態におけるテレビ受像機１の動作について図５の動作フローを用いて説明する。
【００４３】
まず、制御部４０は、ユーザにより選局ボタン９００が押下されたか否かを判定する（ステップＳ１０）。具体的には、リモコン信号受信部７０が、リモコン装置９からの選局ボタン９００が押下された制御信号が受信されたか否かを検知する。ここで、選局ボタン９００が押下されたことを検知すると（ステップＳ１０；Ｙｅｓ）、現在受信中のチャンネルのグループと同一の選局ボタンか否かを判定する（ステップＳ１２）。
【００４４】
ここで、現在受信中のチャンネルと異なるグループのチャンネルのボタンが押下された場合（ステップＳ１２；Ｎｏ）、押下されたボタンに対応するチャンネルの番組を受信する（ステップＳ３０）。
【００４５】
他方、同一のグループの選局ボタンが押下された場合には（ステップＳ１２；Ｙｅｓ）、チャンネルテーブル６２から、押下された選局ボタンのグループに属するチャンネルを読み出す（ステップＳ１４）。そして、読み出されたチャンネルから、ＯＳＤ生成部５０が、チャンネル選局表を生成する。生成されたチャンネル選局表と、映像信号処理部３０から出力された映像とを映像合成部３５により合成し、表示装置９０に出力する（ステップＳ１６）。
【００４６】
ここで、チャンネル選局表とは、ユーザが選局する際に利用するための表であり、本実施形態においては、チャンネル番号と、放送形式が表示されているものとする。そして、チャンネル選局表には、選局候補となる次の放送形式（番組）にカーソルを移動表示する（ステップＳ１８）。例えば、現在地上波アナログ放送の放送局が選択されている場合には、次に選局候補となる地上波デジタル放送の番組（チャンネル）にカーソルが表示されることとなる。
【００４７】
次に、選局ボタン９００が押下されたか否かを検知する（ステップＳ２０）。ここで、再び選局ボタンが押下されたと検知された場合には（ステップＳ２０；Ｙｅｓ）、現在受信中のチャンネルと同一のグループの選局ボタンが押下されたか否かを判定する（ステップＳ２２）。そして、現在受信中のチャンネルと異なるグループの選局ボタンが押下された場合には（ステップＳ２２；Ｎｏ）、現在受信中の放送形式で、押下された選局ボタンに対応するチャンネルの番組を受信するように選局する（ステップＳ３０）。
【００４８】
他方、現在受信中のチャンネルのグループと同一の選局ボタンが押下された場合には（ステップＳ２２；Ｙｅｓ）、チャンネル選局表のカーソルを次の放送形式（番組）のチャンネルに移動する（ステップＳ２４）。
【００４９】
ここで、チャンネルの決定処理がなされると（ステップＳ２６；Ｙｅｓ）、選局されている放送形式のチャンネルの番組を受信する（ステップＳ２８）。他方、チャンネルが決定されない場合には（ステップＳ２６；Ｎｏ）、ステップＳ２０から処理を繰り返し実行する。
【００５０】
ここで、チャンネルが決定される処理としては、例えばリモコン装置９に備えられている決定ボタンが押下されたことを検知しても良いし、所定時間、選局ボタンが押下されていない場合に決定として処理することとしても良い。
【００５１】
〔動作例〕
続いて、テレビ受像機１の動作について、図４のチャンネルテーブル６２のデータにおける「１」グループの場合で説明する。図６（ａ）は、現在地上波アナログ放送において「１」チャンネルが受信されている表示画面Ｗ１００の一例を示す図である。表示画面Ｗ１００には、番組の映像と共に、現在受信中の放送形式及びチャンネル番号が領域Ｒ１００に表示されている。なお、説明の都合上、領域Ｒ１００に放送形式及びチャンネル番号が表示されていることとして説明するが、例えば、現在受信中の放送局名が併せて表示させることとしても良いし（例えば図７（ｃ））、ユーザ操作により非表示としても良い。
【００５２】
図６（ａ）の状態から、１チャンネルボタン９０２が押下された状態が図６（ｂ）の表示画面Ｗ１０２である。チャンネルボタン９００が押下されたことが検知されると（ステップＳ１０；Ｙｅｓ）、現在受信中のチャンネル番号と同一グループのボタンが押されたか否かを判定する。ここで、図６（ａ）の状態において、受信中のチャンネルは地上波アナログ放送の「１」ｃｈであり、１チャンネルボタン９０２に対応づけられたグループのチャンネルである（ステップＳ１２；Ｙｅｓ）。
【００５３】
そこで、チャンネルリストから対応チャンネルを読み出し、チャンネル選局表を領域Ｒ１０２に表示する（ステップＳ１４→ステップＳ１６）。さらに、次の放送形式である地上波デジタルの部分にカーソルＣ１０２を表示する（ステップＳ１８）。
【００５４】
つづいて、図６（ｂ）の状態において、更に１チャンネルボタン９０２が押下された状態が図６（ｃ）の表示画面Ｗ１０４である。現在、受信中のチャンネル番号と同一グループの１チャンネルボタン９０２が押下されたことから（ステップＳ２０；Ｙｅｓ→ステップＳ２２；Ｙｅｓ）、領域Ｒ１０４に表示されているチャンネルリストの中の次の放送形式（番組）であるＢＳデジタルにカーソルＣ１０４が表示されている。
【００５５】
さらに、図６（ｃ）の状態において、１チャンネルボタン９０２が更に押下された状態が図７（ａ）の表示画面Ｗ１０６である。ここで、チャンネルテーブル６２を参照すると、グループ「１」には、放送形式ＣＳ１に対応するチャンネル（放送局）が登録されていない。したがって、次にチャンネルの登録されている放送形式ＣＳ２が選局候補として選択されることとなる。図７（ａ）に示すように、領域Ｒ１０６に表示されているチャンネルリストから、放送形式ＣＳ２、チャンネル番号「３５４」がカーソルＣ１０６により選択されている。
【００５６】
そして、図７（ａ）の状態において、決定操作がなされた状態が、図７（ｂ）に示す表示画面Ｗ１０８である。表示画面Ｗ１０８には、選局された放送形式ＣＳ２における、チャンネル番号「３５４」の番組が受信され表示されている。また、領域Ｒ１０８には、現在受信中の放送形式とチャンネル番号が表示されている。
【００５７】
ただし、図７（ａ）の状態で、再度１チャンネルボタン９０２が押下されると地上波アナログの部分にカーソルが表示され（図示しない）、以後、上述の動作を繰り返す。
【００５８】
さらに、現在受信中のチャンネルが、ＢＳデジタル「１０３」チャンネルであった場合であれば、１チャンネルボタン９０２が押下されるとＣＳ２の部分にカーソルが表示される（図７（ａ））。
【００５９】
このように、本発明を適用したテレビ受像機によれば、ユーザは簡易な操作で放送形式が異なるチャンネルの選局を行うことができる。したがって、放送形式の切り換えを意識することなくチャンネルを切り替えることが可能となる。さらに、放送形式が切り替わった場合であっても、現在受信中のチャンネルと同じ系列のチャンネルを受信することができる。
【００６０】
〔変形例〕
本実施形態においては、テレビ受像機の一例として家庭などに設置される据え置き型のテレビ受像機に適用した場合について説明したが、当該装置に限定される物ではなく、テレビ放送を受信できる他の機器においても適用可能なことは勿論である。例えば、テレビを受信出来る機能を搭載した携帯電話や、コンピュータ等の装置であっても良い。
【００６１】
特に、携帯電話において、チャンネル切り替え操作をダイヤルキーにて行う場合、同一のダイヤルキーを押下することにより、複数の放送形式を容易に切り替えられるといった特徴を有する。
【００６２】
また、表示装置９０の一例として液晶ディスプレイを用いることとして説明したが、例えば、プラズマディスプレイや、ＣＲＴ（Cathode Ray Tube）等の表示装置を用いても良いことは勿論である。
【００６３】
また、チャンネルテーブル６２について、予めチャンネルがグループ化されていることとして説明したが、ユーザが任意に登録出来ることとしても良いことは勿論である。例えば、同一グループに「野球」に関するチャンネルを複数登録する。この場合、ユーザは同一のチャンネルボタンを押下することにより、チャンネル及び放送形式を意識すること無く、容易にグループ内のチャンネルを切り替えることが出来ることとなる。
【００６４】
また、この動作例においては、対応する放送方式が登録されていない場合は、ブランクの表示としていたが、例えば、斜線であったり、マークやシンボル等で表示するものであっても良い。
【００６５】
また、放送形式を切り替える方法として、本実施形態においては、チャンネルリストが表示され、当該チャンネルリストを利用して選局を行うことが出来る例について説明したが、これに限定されるものではない。以下、チャンネルを選局する方法としていくつかの変形例を挙げて説明する。
【００６６】
（第１変形例）
まず、第１変形例として、現在受信中のチャンネルのグループと同一のチャンネルボタンが押下され場合に、同一グループの番組が表示画面に分割して表示される場合について説明する。図８（ａ）は、地上波アナログ放送の１チャンネルの番組を受信していた際に、ユーザにより１チャンネルボタン９０２が押下された場合の表示画面の一例を示した図である。
【００６７】
図８（ａ）に示すように、表示画面には現在視聴中の番組である地上波アナログ放送の番組（１チャンネル）が領域Ｒ２００に表示されている。そして、地上波デジタル放送の番組（２７チャンネル）が領域Ｒ２０２に、ＢＳデジタル放送の番組（１０３チャンネル）が領域Ｒ２０４に、ＣＳ２の番組（３５４チャンネル）が領域Ｒ２０８に、それぞれ表示されている。なお、ＣＳ１に対応する番組は無いことから、領域Ｒ２０６には番組が表示されていない。そして、次の選局候補となる番組が、カーソルＣ２００により選択されている。
【００６８】
この状態において、再度１チャンネルボタン９０２が押下されると、カーソルが次の番組に移動する（図８（ｂ）のカーソルＣ２０２）。また、再度１チャンネルボタン９０２が押下されることにより、次の選局候補となるＣＳ２の番組にカーソルが移動する（図９のカーソルＣ２０４）。ここで、決定操作がなされることにより、放送形式がＣＳ２のチャンネル３５４の番組が選択され、表示画面全体に切り替え表示されることとなる。
【００６９】
このように、第１変形例によれば、ユーザはチャンネルを選局する場合、各チャンネルにおいて放送されている番組を実際に視認して選局操作することが可能となる。
【００７０】
（第２変形例）
続いて、第２変形例として、現在受信中のチャンネルのグループと同一のチャンネルボタンが押下され場合に、電子番組表が表示される場合について説明する。図１０（ａ）は、地上波アナログ放送の１チャンネルの番組を受信していた際に、ユーザにより１チャンネルボタン９０２が押下された場合の表示画面の一例を示した図である。
【００７１】
図１０（ａ）に示すように、表示画面には現在の時刻に対応する電子番組表が領域Ｒ３００に表示されている。そして、選局候補となる番組が、カーソルＣ３００により選択されている。
【００７２】
この状態において、再度１チャンネルボタン９０２が押下されると、カーソルが次の番組に移動する（図１０（ｂ）のカーソルＣ３０２）。また、再度１チャンネルボタン９０２が押下されることにより、次の選局候補となるＣＳ２の番組にカーソルが移動する（図１０（ｃ）のカーソルＣ３０４）。ここで、決定操作がなされることにより、放送形式がＣＳ２のチャンネル３５４の番組が選択され、表示画面全体に切り替え表示されることとなる。
【００７３】
このように、第２変形例によれば、ユーザはチャンネルを選局する場合、電子番組表を参照して、所望するチャンネル（番組）を選局することが出来る。
【００７４】
（第３変形例）
続いて、第３変形例として、現在受信中のチャンネルのグループと同一のチャンネルボタンが押下された場合に、画面を分割表示し、選局候補となる番組を並列表示する場合について説明する。図１１（ａ）は、地上波アナログ放送の１チャンネルの番組を受信していた際に、ユーザにより１チャンネルボタン９０２が押下された場合の表示画面の一例を示した図である。
【００７５】
図１１（ａ）に示すように、表示画面が領域Ｒ４００と、Ｒ４０２とに分割表示されている。そして、領域Ｒ４００に、現在視聴中の番組（地上波アナログ放送の１チャンネル）が、領域Ｒ４０２に、選局候補となる番組（地上波デジタル放送の２７チャンネル）が表示されている。
【００７６】
この状態において、再度１チャンネルボタン９０２が押下されると、領域Ｒ４０２に表示されている番組が、次の選局候補（ＢＳデジタル放送の１０３チャンネル）の番組が領域Ｒ４０２に表示される（図１１（ｂ））。また、再度１チャンネルボタン９０２が押下されることにより、次の選局候補（ＣＳ２の３５４チャンネル）の番組が領域Ｒ４０２に表示される。そして、決定操作がなされることにより、選局候補として領域Ｒ４０２に表示されている番組が、全画面表示に切り替えて表示されることとなる。
【００７７】
このように、第３変形例によれば、チャンネルを選局する際に、現在視聴中の番組の視聴を中断することなく、選局候補となる番組を視認することができる。さらに、選局候補となる番組を大きく表示させることが可能となる。
【図面の簡単な説明】
【００７８】
【図１】本実施形態におけるテレビ受像機及びリモコン装置の概略図。
【図２】リモコン装置の外観を説明するための図。
【図３】テレビ受像機のデータ構成を示す為の図。
【図４】チャンネルテーブルのデータ構成の一例を示す図。
【図５】本実施形態における処理の流れを示す動作フロー。
【図６】本実施形態における画面遷移を説明するための図。
【図７】本実施形態における画面遷移を説明するための図。
【図８】変形例における画面遷移を説明するための図。
【図９】変形例における画面遷移を説明するための図。
【図１０】変形例における画面遷移を説明するための図。
【図１１】変形例における画面遷移を説明するための図。
【符号の説明】
【００７９】
１  テレビ受像機
１０  受信部
１２  チューナー部
１４  デコーダ部
２０  音声信号処理部
３０  映像信号処理部
３５  映像合成部
４０  制御部
５０  ＯＳＤ生成部
６０  記憶部
６２  チャンネルテーブル
６４  番組情報
７０  リモコン信号受信部
８０  音声出力装置
９０  表示装置
９  リモコン装置
【図１】
2008098725.tif 000003
【図２】
2008098725.tif 000004
【図３】
2008098725.tif 000005
【図４】
2008098725.tif 000006
【図５】
2008098725.tif 000007
【図６】
2008098725.tif 000008
【図７】
2008098725.tif 000009
【図８】
2008098725.tif 000010
【図９】
2008098725.tif 000011
【図１０】
2008098725.tif 000012
【図１１】
2008098725.tif 000013